(57)【要約】【課題】選択されたフォルダが目的とするフォルダであるかどうかを、限られた表示領域を用いながらも、迅速に確認することができるようにする。【解決手段】対象とするフォルダが目的とするフォルダであるかどうかを確認することができるように該対象フォルダのフォルダ名を表示するフォルダ名表示装置において、所定の表示領域に、対象フォルダのフォルダ名を表示し（５１〜５５）、その後、該フォルダ名に代えて、対象フォルダのフルパスにおける上位のフォルダのフォルダ名を表示する（５７〜６７）ように構成する。フルパスにおける上位フォルダのフォルダ名の表示は、たとえば該フルパス又はその一部をスクロール表示（５７〜６７）により表示することによって行うことができる。【選択図】図５
2007133450.tif 000002
【特許請求の範囲】
【請求項１】
対象とするフォルダが目的とするフォルダであるかどうかを確認することができるように該対象フォルダのフォルダ名を表示するフォルダ名表示装置であって、
所定の表示領域において、前記対象フォルダのフォルダ名を表示し、その後、該フォルダ名に代えて、該対象フォルダのフルパスにおける上位のフォルダのフォルダ名を表示することを特徴とするフォルダ名表示装置。
【請求項２】
前記フルパスにおける上位フォルダのフォルダ名の表示は、該フルパス又はその一部をスクロール表示により表示することによって行うことを特徴とするフォルダ名表示装置。
【請求項３】
前記フルパスの一部は、該フルパスにおける前記対象フォルダのフォルダ名を含むことを特徴とする請求項２に記載のフォルダ名表示装置。
【請求項４】
前記フルパスにおける上位フォルダのフォルダ名の表示は、所定の操作入力に応答して行い、該操作入力が行われる毎に、より上位のフォルダのフォルダ名の表示を行うことを特徴とする請求項１に記載のフォルダ名表示装置。
【請求項５】
前記対象フォルダのフォルダ名の表示はスクロール表示により行うことを特徴とする請求項１〜４のいずれか１項に記載のフォルダ名表示装置。
【請求項６】
所定の階層構造を形成している複数のフォルダを記憶している記憶媒体と、
所定の操作入力が行われる毎に、順次各フォルダを所定の論理に従って選択してゆくことにより、所望のフォルダの検索を可能とするフォルダ検索手段と、
選択されたフォルダを対象として、そのフォルダ名の表示及びその後の該フォルダのフルパスにおける上位フォルダのフォルダ名の表示を行う請求項１〜５のいずれかのフォルダ名表示装置と、
選択されたフォルダが保持するファイルについての再生を行う再生手段とを具備することを特徴とするファイル再生装置。
【請求項７】
対象とするフォルダが目的とするフォルダであるかどうかを確認することができるように該対象フォルダのフォルダ名を表示する手順をコンピュータに実行させるフォルダ名表示プログラムであって、
前記手順は、所定の表示領域において、前記対象フォルダのフォルダ名を表示する手順と、
この手順を行った後、前記表示領域において、該フォルダ名に代え、該対象フォルダのフルパスにおける上位のフォルダのフォルダ名を表示する手順とを具備することを特徴とするフォルダ名表示プログラム。
【請求項８】
対象とするフォルダが目的とするフォルダであるかどうかを確認することができるように該対象フォルダのフォルダ名を表示する装置におけるフォルダ名表示方法であって、
前記装置が、所定の表示領域において、前記対象フォルダのフォルダ名を表示する工程と、
前記装置が、この工程を行った後、該フォルダ名に代えて、該対象フォルダのフルパスにおける上位のフォルダのフォルダ名を表示する工程とを具備することを特徴とするフォルダ名表示方法。
【発明の詳細な説明】
【技術分野】
【０００１】
本発明は、対象とするフォルダが目的とするフォルダであるかどうかを確認することができるように該対象フォルダのフォルダ名を表示するフォルダ名表示装置、これを用いたファイル再生装置、並びにこれらに適したフォルダ名表示プログラム及びフォルダ名表示方法に関する。
【背景技術】
【０００２】
一般に、１ＤＩＮサイズの比較的安価なカーオーディオシステムのように、サイズが限定され、表示器における表示領域が１行程度である場合、同時に表示することができるファイル名やフォルダ名は１つが限度であるといった場合が多い。このような場合、フォルダの階層構造全体をそのまま表示することはできない。
【０００３】
そこで従来、このような場合には、目的のファイルを保持するフォルダの検索に際し、システムが、何らかのファイルを保持するフォルダのみを、所定の操作入力がなされる毎に順次選択してゆき、選択の都度、選択したフォルダのフォルダ名を単に表示するか、又はそのフォルダのルートフォルダを含むフルパスをスクロール表示するようにしている。ユーザは、前記操作入力を繰り返し行い、順次選択されるフォルダのフォルダ名やフルパスの表示を見て確認しながら、目的とするフォルダを検索することができる。
【０００４】
図７はこのような従来のフォルダ検索における選択フォルダの表示方法の一例を示す。この方法では、順次選択されるフォルダのフォルダ名を、単にスクロール表示するようにしている。ここで、フォルダの階層構造は図２のようになっているものとする。図７の７１は図２のフォルダ２４が選択された直後におけるフォルダ２４のフォルダ名の表示状態であり、７２〜７８はその後のスクロールにより変化して行く各表示状態である。
【０００５】
図２の階層構造において、たとえば、フォルダ２５が選択されている状態にあるとき、所定のキー操作により、選択フォルダを前のフォルダに変更させる指示が与えられると、楽曲ファイル２０を有する１つ前のフォルダ２４が選択されることになる。フォルダ２４が選択された直後は表示状態７１のように、フォルダ２４のフォルダ名の一部「ＭＹ  ＳＥＬＥＣ」が表示されている。その後、表示状態７２のようにスクロールが開始され、表示状態７３〜７５のように、スクロールが進行してゆく。
【０００６】
そして、表示状態７６のように、フォルダ名「ＭＹ  ＳＥＬＥＣＴ」の表示が消え去ると、所定の空白を置いてから、表示状態７７〜８１のように、再度フォルダ名「ＭＹ  ＳＥＬＥＣＴ」のスクロール表示が行われる。ユーザがこのようなスクロール表示を見て、フォルダ名が「ＭＹ  ＳＥＬＥＣＴ」であるフォルダが選択されたことを確認し、所望の操作を行うと、スクロール表示は中止され、該操作に基づく機能が行われることになる。
【０００７】
図８はフルパスをスクロール表示するようにした選択フォルダの表示方法を示す。フォルダの階層構造は同様に図２のようになっているものとする。図８の８２は図２のフォルダ２４が選択された直後のフォルダ名の表示状態であり、８３〜９８はその後のスクロールにより変化してゆく各表示状態である。この場合、フォルダ２４のフルパスは、フォルダ２１、２２、２３、及び２４の各フォルダ名を並べた、「￥２００５＿１￥Ａ’Ｓ￥ＭＹ  ＳＥＬＥＣＴ」として表現される。
【０００８】
図２の階層構造において、たとえば、フォルダ２５が選択されている状態にあるとき、所定のキー操作により、選択フォルダを前のフォルダに変更させる指示が与えられると、楽曲ファイル２０を有する１つ前のフォルダ２４が選択されることになる。フォルダ２４が選択されると、表示状態８２のように、まず、フォルダ２４のフルパスの最初の部分「￥２００５＿１￥」が表示される。以下、表示状態８３〜９２のように、フルパスがスクロール表示されてゆく。
【０００９】
そして、表示状態９３のように、フルパスのスクロール表示が消え去ると、所定の空白を置いた後、表示状態９４のように、再度、フォルダ２４の絶対パスのスクロール表示を開始し、表示状態９５〜９８のように、順次スクロール表示を行ってゆく。この間、ユーザがこのようなスクロール表示を見て、選択されたフォルダが所望のフォルダであることを確認し、所望の操作を行うと、スクロール表示は中止され、該操作に基づく機能が行われることになる。
【００１０】
なお、関連する技術として、特許文献１には、フォルダの階層構造について、最上位階層のフォルダ情報の一覧を表示するとともに、いずれかのフォルダが選択される度に、次の下位階層のフォルダ情報を読み出し、その階層のフォルダ情報の一覧を表示することにより、膨大な数のファイル情報から所望のファイル情報を容易に選択することができるようにした情報選択機器が記載されている。
【００１１】
また、特許文献２には、曲の検索が指示されたことに応答して、記録媒体中のフォルダを検索し、検索したフォルダのフォルダ名を順次１つずつ表示してゆくとともに、その間に、表示したフォルダ名より所望のフォルダが選択されると、そのフォルダ内にある曲の再生を行ったり、フォルダ内にある曲の曲名を選択のために順次表示したり、フォルダ内にある曲のスキャンを行ったりすることにより、所望の曲を簡単な操作で検索し、再生することができるようにした記録媒体再生装置が記載されている。
【００１２】
【特許文献１】特開２００３−８４８７７号公報
【特許文献２】特開２００３−１２３４４８号公報
【発明の開示】
【発明が解決しようとする課題】
【００１３】
しかしながら、図７の従来技術によれば、選択されたフォルダのフォルダ名のみをスクロール表示するようにしているので、選択されたフォルダと同一名称のフォルダが複数存在する場合、フォルダ名が表示されても、ユーザは、選択されたフォルダがそれら複数フォルダのうちのどのフォルダであるかを区別することができないという問題がある。たとえば、図２中の「ＭＹ  ＳＥＬＥＣＴ」のように、同一フォルダ名のフォルダが３つ存在する場合、ユーザは「ＭＹ  ＳＥＬＥＣＴ」が図７のように表示されるのを見ても、選択されたフォルダがどの「ＭＹ  ＳＥＬＥＣＴ」であるかを区別することができない。
【００１４】
一方、図８の従来技術によれば、選択されたフォルダのフルパスが表示されるので、選択されたフォルダと同一名称のフォルダが複数存在する場合でも、選択されたフォルダをそれらのフォルダから区別することができる。たとえば、図２中の「ＭＹ  ＳＥＬＥＣＴ」のように、同一フォルダ名が３つ存在する場合でも、ユーザは図８のような絶対パスの表示により、「ＭＹ  ＳＥＬＥＣＴ」が「Ａ’Ｓ」の下位のフォルダであることを認識することができる。しかしこの場合、ユーザは、選択されたファイルがどのファイルであるかを特定するためには、フルパスのスクロール表示がほぼ完了するまで待たなければならない。
【００１５】
本発明の目的は、このような従来技術の問題点に鑑み、選択されたフォルダが目的とするフォルダであるかどうかを、限られた表示領域を用いながらも、迅速に確認することができるフォルダ名の表示技術を提供することにある。
【課題を解決するための手段】
【００１６】
上記目的を達成するための第１の発明に係るフォルダ名表示装置は、対象とするフォルダが目的とするフォルダであるかどうかを確認することができるように該対象フォルダのフォルダ名を表示するフォルダ名表示装置に関する。そしてこの装置は、所定の表示領域において、対象フォルダのフォルダ名を表示し、その後、このフォルダ名に代えて、対象フォルダのフルパスにおける上位のフォルダのフォルダ名を表示することを特徴とする。
【００１７】
ここで、フォルダ名表示装置としては、たとえば、ハードディスクにおいて階層構造を形成しているフォルダに格納された楽曲ファイルを再生する装置に設けられたものが該当する。フォルダの概念には、ディレクトリも含まれる。所定の表示領域としては、たとえば、フォルダ名を１つ程度表示できる程度の小さな表示領域が該当する。
【００１８】
この構成において、対象フォルダのフォルダ名を表示する際には、所定の表示領域において、まず、対象フォルダのフォルダ名を表示し、その後、このフォルダ名に代えて、対象フォルダのフルパスにおける上位のフォルダのフォルダ名を表示するようにしている。この間、ユーザは、最初の対象フォルダのフォルダ名の表示を見たとき、それがユニークであれば、直ちに目的とするフォルダであるかどうかを判別できる場合が多い。判別できればユーザは直ちに所望の操作、たとえばフォルダの検索をさらに進めたり、対象フォルダが保持するファイルの再生を行ったりするための操作を行うことができる。
【００１９】
表示されたファイル名がユニークではなく、同一ファイル名のフォルダが他にも存在する場合には、ユーザは、対象フォルダのフルパスにおける上位のフォルダのフォルダ名が表示されるのを待つことができる。そのフォルダ名の表示により、対象フォルダが判別できれば、その時点で、ユーザは所望の操作に移ることができる。
【００２０】
つまり、本発明によれば、ユーザは、対象フォルダと同一名称のフォルダが複数存在する場合でも、上位フォルダのフォルダ名の表示を見て対象フォルダが目的とするフォルダであるかどうかを確認することができるとともに、対象フォルダがユニークである場合には上位フォルダのフォルダ名の表示を待つことなく、直ちに対象フォルダが目的とするフォルダであるかどうかを確認することができる。
【００２１】
第２の発明に係るフォルダ名表示装置は、第１発明において、フルパスにおける上位フォルダのフォルダ名の表示は、該フルパス又はその一部をスクロール表示により表示することによって行うことを特徴とする。
【００２２】
第３の発明に係るフォルダ名表示装置は、第２発明において、前記フルパスの一部は、該フルパスにおける対象フォルダのフォルダ名を含むことを特徴とする。
【００２３】
第４の発明に係るフォルダ名表示装置は、第１発明において、フルパスにおける上位フォルダのフォルダ名の表示は、所定の操作入力に応答して行い、該操作入力が行われる毎に、より上位のフォルダのフォルダ名の表示を行うことを特徴とする。
【００２４】
第５の発明に係るフォルダ名表示装置は、第１〜第４のいずれかの発明において、対象フォルダのフォルダ名の表示はスクロール表示により行うことを特徴とする。
【００２５】
第６の発明に係るファイル再生装置は、所定の階層構造を形成している複数のフォルダを記憶している記憶媒体と、所定の操作入力が行われる毎に、順次各フォルダを所定の論理に従って選択してゆくことにより、所望のフォルダの検索を可能とするフォルダ検索手段と、選択されたフォルダを対象として、そのフォルダ名の表示及びその後の該フォルダのフルパスにおける上位フォルダのフォルダ名の表示を行う第１〜第５のいずれかの発明に係るフォルダ名表示装置と、選択されたフォルダが保持するファイルについての再生を行う再生手段とを具備することを特徴とする。
【００２６】
ここで、記憶媒体としては、たとえばハードディスクや、半導体メモリ、ＣＤ−Ｒ（ＣＤレコーダブル）が該当する。所定の論理としては、たとえば、楽曲ファイルを保持しているフォルダであって、次にフォルダ番号が大きなフォルダを選択する、といった論理が該当する。ファイルとしては、たとえば、ＭＰ３形式や、ＷＭＡ形式のファイルが該当する。
【００２７】
第７の発明は、対象とするフォルダが目的とするフォルダであるかどうかを確認することができるように該対象フォルダのフォルダ名を表示する手順をコンピュータに実行させるフォルダ名表示プログラムに関する。このプログラムは、前記手順として、所定の表示領域において、対象フォルダのフォルダ名を表示する手順と、この手順を行った後、前記表示領域において、該フォルダ名に代え、対象フォルダのフルパスにおける上位のフォルダのフォルダ名を表示する手順とを具備することを特徴とする。
【００２８】
第８の発明は、対象とするフォルダが目的とするフォルダであるかどうかを確認することができるように該対象フォルダのフォルダ名を表示する装置におけるフォルダ名表示方法に関する。この方法は、前記装置が、所定の表示領域において、対象フォルダのフォルダ名を表示する工程と、前記装置が、この工程を行った後、該フォルダ名に代えて、対象フォルダのフルパスにおける上位のフォルダのフォルダ名を表示する工程とを具備することを特徴とする。
【発明の効果】
【００２９】
本発明によれば、対象フォルダのフォルダ名を表示し、その後、該フォルダ名に代えて、対象フォルダのフルパスにおける上位のフォルダのフォルダ名を表示するようにしたため、ユーザは、大きさの限られた表示領域を用いながらも、対象フォルダが目的とするフォルダであるかどうかを効率的に確認することができる。
【発明を実施するための最良の形態】
【００３０】
図１は本発明の一実施形態に係るディジタルオーディオプレーヤの構成を示すブロック図である。同図に示すように、この装置は、所定のプログラムに従い、装置各部の制御や各種情報の処理を行う制御部１１、制御部１１によってアクセスされるハードディスク１２、制御部１１の制御により各種情報の表示を行う表示部１３、制御部１１に対してユーザが操作入力を行うための入力部１４、制御部１１からの音声信号を音波に変換して出力する音声出力部１５を備える。
【００３１】
図２はハードディスク１２に格納されているフォルダ及びファイルの階層構造を例示する。図中の２１はルートフォルダ、２２はルートフォルダ２１に属するその１つ下位のフォルダ、２３、２５及び２８はフォルダ２２に属するその１つ下位のフォルダ、２４はフォルダ２３に属するその１つ下位のフォルダ、２６及び２７はフォルダ２５に属するその１つ下位のフォルダ、２９及び３０はフォルダ２８に属するその１つ下位のフォルダである。
【００３２】
フォルダ２４〜２７、２９及び３０には楽曲ファイル２０が格納されているが、他のフォルダには楽曲ファイル２０は存在しない。フォルダ２１〜３０にはそれぞれ「￥」、「２００５＿１」、「Ａ’Ｓ」、「ＭＹ  ＳＥＬＥＣＴ」、「ＤＲ．ＣＨＩＬＤ」、「ＢＥＳＴ  ＨＩＴＳ」、「ＭＹ  ＳＥＬＥＣＴ」、「ＳＭＡＳＨ」、「ＭＹ  ＳＥＬＥＣＴ」、及び「ＳＩＮＧＬＥＳ」の各フォルダ名が付与されている。
【００３３】
図３は表示部１３におけるフォルダ選択画面の表示例を示す。この表示例ではフォルダ２５が選択された直後の様子が示されている。上から１行目の表示領域３１には、現在選択されているフォルダ２５のフォルダ番号「Ｆ０５」が表示されている。２行目の表示領域３２には現在選択されているフォルダ２５のフォルダ名「ＤＲ．ＣＨＩＬＤ」が表示されている。なお、フォルダ２１〜３０にはそれぞれ、フォルダ番号「Ｆ０１」〜「Ｆ１０」が付されている。
【００３４】
下部の「ＯＫ」が表示されたボタン３３は、現在選択中のフォルダに移動するためのボタンである。「ＥＸＩＴ」が表示されたボタン３４は、フォルダ選択画面から通常の表示画面に戻るためのボタンである。「ＨＯＭＥ」が表示されたボタン３５は、選択中のフォルダをルートフォルダ２１へ変更するためのボタンである。
【００３５】
また、入力部１４には図示していない左ボタン及び右ボタンが設けられており、これらのボタンは、選択中のフォルダを変更するために用いることができる。右ボタンの押下により、選択中のフォルダをフォルダ番号がより大きなフォルダに変更することができるようになっている。左ボタンの押下により、選択中のフォルダをフォルダ番号がより小さなフォルダに変更することができる。ただし、右ボタン又は左ボタンの押下により選択中のフォルダとされるのはファイル２０が存在するフォルダであり、ファイル２０が存在しない場合にはその次のフォルダが選択中のフォルダとされる。
【００３６】
図４はフォルダ選択画面において、左ボタン及び右ボタンが押下されたときの画面表示の変化を示す。４１はフォルダ２５が選択された直後の画面、４２はフォルダ２５が選択されている状態において右ボタンが押下された直後の画面、４３はフォルダ２５が選択されている状態において左ボタンが押下された直後の画面である。
【００３７】
フォルダ２５の選択中に右ボタンが押下されると、制御部１１は選択中のフォルダをフォルダ番号がより大きなフォルダ２６に変更する。また、これに伴い、表示内容を画面４２のように変更する。すなわち、フォルダ番号の表示を「Ｆ０６」とし、フォルダ名の表示を「ＢＥＳＴ  ＨＩＴＳ」とする。なお、フォルダ２６がファイル２０を有していないとすれば、フォルダ２６は無視され、ファイル２０を有する次のフォルダ２７が選択される。そして、新たに選択されたフォルダＦ０７に対応するように、フォルダ番号の表示は「Ｆ０７」とされ、フォルダ名の表示は「ＭＹ  ＳＥＬＥＣ」とされることになる。
【００３８】
一方、フォルダ２５の選択中に左ボタンが押下されると、制御部１１は選択中のフォルダをフォルダ番号がより小さなフォルダに変更するが、フォルダ２４はファイル２０を有しているので、フォルダ２４を選択することになる。そして、新たに選択されたフォルダ２４に対応するように、表示内容を画面４３のように変更する。すなわち、フォルダ番号の表示を「Ｆ０４」とし、フォルダ名の表示を「ＭＹ  ＳＥＬＥＣ」とする。
【００３９】
図５はフォルダ２５の選択中に左ボタンが押下されたことに応答して、フォルダ選択画面の表示を画面４３の状態に変更した後の、表示状態の推移を示す。図中の５１は左ボタンが押下された直後の表示領域３２の表示状態である。５２〜６７はその後の時間経過に伴い、順次変化してゆく表示領域３２の表示状態を示す。
【００４０】
フォルダ２５の選択中に左ボタンが押下されると、制御部１１は上述のようにフォルダ２４を選択するので、まず、表示状態５１〜５５のように、フォルダ２４のフォルダ名「ＭＹ  ＳＥＬＥＣＴ」のスクロール表示を行う。なお、このスクロール表示を見て、ユーザが直ちにそのフォルダがどのようなフォルダであるかを判別し、所望の操作を行った場合には、スクロール表示は中断され、操作に応じた動作が行われることになる。ただしここでは、フォルダ名が「ＭＹ  ＳＥＬＥＣＴ」であるフォルダはフォルダ２４、２７、及び２９の３つが存在するので、ユーザはまだ所望のフォルダであるかどうかを判別することができず、フルパスの表示が行われるのを待つことになる。
【００４１】
スクロールが進行し、表示状態５６のように、フォルダ名「ＭＹ  ＳＥＬＥＣＴ」の表示が表示領域３２から消失すると、所定の空白を置いてから、フォルダ２４についてのフルパス「￥２００５＿１￥Ａ’Ｓ￥ＭＹ  ＳＥＬＥＣＴ」のスクロール表示を行う。スクロール表示は、表示状態５７〜６７のように、このフルパスを構成する文字列を、左方向へ移動させることによって行われる。そして、表示状態６７のように、選択されたフォルダのフォルダ名が表示領域３２の左端に達し、「ＭＹ  ＳＥＬＥＣ」が表示される状態に至ると、スクロールを停止する。この間、ユーザが、スクロール中のフルパスを見ることによって、選択したフォルダが所望のフォルダであることを判別することができた場合には、その時点で所望の操作を行うことができる。この操作が行われた場合、制御部１１はフルパスのスクロール表示を中止し、操作に応じた動作に移行する。
【００４２】
本実施形態によれば、フォルダ選択画面において右ボタン又は左ボタンが押下された場合、まず、新たに選択したフォルダのフォルダ名を表示し、その後に、選択したフォルダのフルパスについてのスクロール表示を行うようにしたため、限られた表示領域３２を用い、より効率的に、選択したフォルダがユーザの目的とするものであるかどうかをユーザに認識させることができる。
【００４３】
つまりユーザは、最初に表示された、選択されたフォルダのフォルダ名から直ちにそのフォルダが目的とするフォルダであるかどうかを識別することができる場合には、直ちに所望の操作を行うことにより、該操作に対応する動作に移行させることができる。また、最初に表示された、選択されたフォルダのフォルダ名から直ちにはそのフォルダが目的とするものであるかどうかを識別することができない場合には、その後の、そのフォルダのフルパスについてのスクロール表示を見ることにより、そのフォルダが目的とするものであるかどうかを識別することができる。識別できた時点で、所望の動作に移行することができる。
【００４４】
図６は、フォルダ２５の選択中に左ボタンが押下されたことに応答して制御部１１が行う動作の別の例を示す。図中の１は左ボタンが押下された直後の表示領域３２の表示状態である。２〜５はその後のスクロール表示において変化してゆく表示領域３２の表示状態である。６及び７は、この間に又はその後、入力部１４が備える上キー又は下キーが押下されたことに応じて変化する表示領域３２の表示状態である。
【００４５】
フォルダ２５の選択中に左ボタンが押下されると、制御部１１は、選択中のフォルダをフォルダ２４に変更し、表示領域３２の表示をフォルダ２４のフォルダ名の一部である「ＭＹ  ＳＥＬＥＣ」に変更する。この後、表示状態５３〜５６のように、該フォルダ名をスクロールさせ、表示領域３２から消失させる。この間又はこの後、上キーが押下されると、表示状態６のように、選択中のフォルダ２４のフルパスにおける１つ上位のフォルダ２３のフォルダ名「Ａ’Ｓ」を表示する。さらに上キーが押下されると、表示状態７のように、さらに上位のフォルダ２２のフォルダ名「２００５＿１」を表示する。下キーが押下されると、「Ａ’Ｓ」の表示に戻す。このように、上キー又は下キーの押下に応答して、より上位又は下位のフォルダ名を表示する。
【００４６】
これによれば、フォルダ選択画面において、右ボタン又は左ボタンの操作が行われた場合、まず、新たに選択されたフォルダのフォルダ名を表示し、その後の上キー又は下キーの押下に応答して、より上位又は下位のフォルダ名を表示するようにしたため、限られた表示領域３２を用い、より効率的に、選択したフォルダがユーザの目的とするものであるかどうかをユーザに認識させることができる。
【００４７】
つまりユーザは、最初に表示された、選択されたフォルダのフォルダ名から直ちにそのフォルダが目的とするフォルダであるかどうかを識別することができる場合には、直ちに所望の操作を行うことにより、該操作に対応する動作に移行させることができる。また、最初に表示された、選択されたフォルダのフォルダ名から直ちにはそのフォルダが目的とするものであるかどうかを識別することができない場合には、上キーや下キーの押下により簡単に上位のフォルダの名称を表示させ、選択したフォルダが所望のフォルダであるかどうかを直ちに確認することができる。たとえば、図２の例の場合のように、フォルダ名「ＭＹ  ＳＥＬＥＣＴ」が複数存在する場合にいずれかの「ＭＹ  ＳＥＬＥＣＴ」が選択された場合でも、上キーや下キーの押下により上位のフォルダの名称を表示させ、選択したフォルダが所望のフォルダであるかどうかを直ちに確認することができる。
【００４８】
なお、本発明は、上述実施形態に限定されることなく、適宜変形して実施することができる。たとえば、上述においては特に言及はしなかったが、選択されたフォルダについてのフルパスの表示に際しては、選択されたフォルダから何階層上までのパスまでが表示可能であるとか、選択されたフォルダ以外のフォルダについては、フォルダ名の表示に使用できる文字数は何文字までであるとかの制限が設けられる場合もある。
【図面の簡単な説明】
【００４９】
【図１】本発明の一実施形態に係るディジタルオーディオプレーヤの構成を示すブロック図である。
【図２】図１のプレーヤのハードディスクに格納されているフォルダ及びファイルの階層構造を例示する図である。
【図３】図１のプレーヤの表示部におけるフォルダ選択画面の表示例を示す図である。
【図４】図１のプレーヤのフォルダ選択画面において左ボタンや右ボタンが押下されたときの画面表示の変化を示す図である。
【図５】図１のプレーヤにおいて、左ボタンが押下されたことに応答してフォルダ選択画面の表示を変更した後の表示状態の推移を示す図である。
【図６】図１のプレーヤにおいて、左ボタンが押下されたことに応答して制御部が行う動作の別の例を示す図である。
【図７】従来のフォルダ検索における選択フォルダの表示方法の一例を示す図である。
【図８】フルパスをスクロール表示するようにした従来の選択フォルダの表示方法を示す図である。
【符号の説明】
【００５０】
１〜７：表示状態、１１：制御部、１２：ハードディスク、１３：表示部、１４：入力部、１５：音声出力部、２０：ファイル、２１〜３０：フォルダ、３１，３２：表示領域、３３〜３５：ボタン、４１〜４３：フォルダ選択画面、５１〜６７、７１〜９８：表示状態。
【図１】
2007133450.tif 000003
【図２】
2007133450.tif 000004
【図３】
2007133450.tif 000005
【図４】
2007133450.tif 000006
【図５】
2007133450.tif 000007
【図６】
2007133450.tif 000008
【図７】
2007133450.tif 000009
【図８】
2007133450.tif 000010
【手続補正書】
【提出日】平成18年2月16日(2006.2.16)
【手続補正１】
【補正対象書類名】特許請求の範囲
【補正対象項目名】請求項２
【補正方法】変更
【補正の内容】
【請求項２】
前記フルパスにおける上位フォルダのフォルダ名の表示は、該フルパス又はその一部を
スクロール表示により表示することによって行うことを特徴とする請求項１に記載のフォルダ名表示装置。